(57)【特許請求の範囲】
【請求項１】
第１面及び前記第１面に対向する第２面を有するシート状の本体部を有する光学シートであり、そのシート面に対して傾斜して配置された複数の表示面が前記シート面に沿って少なくとも一軸方向に沿って配列される光学シートと、
受光面を有し、前記受光面が前記第２面に対向して配置される太陽電池パネルと、
前記太陽電池パネルの前記受光面側に配置される複数の光源と、
を備え、
前記複数の表示面は、色による第１表示対象を表示し、
前記複数の光源は、光による第２表示対象を表示すること、
を特徴とする太陽電池複合型表示体。
【請求項２】
請求項１に記載の太陽電池複合型表示体において、
前記複数の光源が配置される基板は、透光性を有すること、
を特徴とする太陽電池複合型表示体。
【請求項３】
請求項１又は請求項２に記載の太陽電池複合型表示体において、
前記複数の光源は、前記光学シートに固定されていること、
を特徴とする太陽電池複合型表示体。
【請求項４】
請求項１から請求項３までのいずれか１項に記載の太陽電池複合型表示体において、
前記第１面又は前記第２面に、複数の単位形状が少なくとも前記一軸方向に沿って配列されており、
前記表示面は、前記単位形状の面の一部に形成されていること、
を特徴とする太陽電池複合型表示体。
【請求項５】
請求項４に記載の太陽電池複合型表示体において、
前記単位形状は、凸形状であり、少なくとも前記シート面に対して傾斜した第１斜面と前記第１斜面とは異なる角度で傾斜した第２斜面とを有すること、
を特徴とする太陽電池複合型表示体。
【請求項６】
請求項４に記載の太陽電池複合型表示体において、
前記単位形状は、凸形状であり、前記一軸方向及び前記光学シートの厚み方向に沿った断面における断面形状の一部が、円又は楕円の少なくとも一部形状であること、
を特徴とする太陽電池複合型表示体。
【請求項７】
請求項４に記載の太陽電池複合型表示体において、
前記単位形状は、凹形状であり、前記一軸方向及び前記光学シートの厚み方向に沿った断面における断面形状の一部が、円又は楕円の少なくとも一部形状であること、
を特徴とする太陽電池複合型表示体。
【請求項８】
請求項４から請求項７までのいずれか１項に記載の太陽電池複合型表示体において、
前記表示面は、少なくとも前記単位形状の前記一軸方向の幅の両端部を被覆しないこと、
を特徴とする太陽電池複合型表示体。
【請求項９】
請求項１から請求項３までのいずれか１項に記載の太陽電池複合型表示体において、
前記第１面及び前記第２面は、平坦状であり、
前記表示面は、前記光学シートの前記第１面と前記第２面との間の本体部に形成されること、
を特徴とする太陽電池複合型表示体。
【請求項１０】
請求項１から請求項９までのいずれか１項に記載の太陽電池複合型表示体において、
前記表示面の各々は、少なくとも前記一軸方向において、前記シート面に対して第１角度をなす第１領域と、前記シート面に対して前記第１角度とは異なる第２角度をなす傾斜をなす第２領域とを有し、前記第１領域と前記第２領域とは連続しており、前記第１領域と前記第２領域との接続点で傾斜方向が変化すること、
を特徴とする太陽電池複合型表示体。
【請求項１１】
請求項１から請求項９までのいずれか１項に記載の太陽電池複合型表示体において、
前記表示面の各々は、少なくとも前記一軸方向において、該表示面の接線が変化しており、前記光学シートのシート面に対してなす角度が０°となる変節点を有し、前記変節点で前記接線の前記シート面に対する傾斜方向が変わること、
を特徴とする太陽電池複合型表示体。
【請求項１２】
請求項１から請求項１１までのいずれか１項に記載の太陽電池複合型表示体において、
前記複数の光源の少なくとも一部は、
前記シート面の法線方向から見た場合に、前記表示面によって遮蔽されていない非遮蔽領域に配置されていること、
を特徴とする太陽電池複合型表示体。
【請求項１３】
請求項１から請求項１２までのいずれか１項に記載の太陽電池複合型表示体において、
前記複数の光源は、前記太陽電池パネルの前記受光面側に配置され、
前記光学シートは、前記シート面の法線方向から見た場合に前記光源が対面する位置に、貫通孔が形成されていること、
を特徴とする太陽電池複合型表示体。
【請求項１４】
請求項１３に記載の太陽電池複合型表示体において、
前記貫通孔の側面には、光を反射する反射領域、又は、光を拡散する拡散領域が形成されていること、
を特徴とする太陽電池複合型表示体。
【請求項１５】
請求項１３又は請求項１４に記載の太陽電池複合型表示体において、
前記貫通孔の前記第１面側又は前記第２面側の端部には、透光性を有し、前記貫通孔の開口を覆う被覆部材が設けられていること、
を特徴とする太陽電池複合型表示体。
【請求項１６】
請求項１５に記載の太陽電池複合型表示体において、
前記被覆部材は、前記貫通孔の各々の前記第１面側又は前記第２面側の開口を被覆する蓋材であること、
を特徴とする太陽電池複合型表示体。
【請求項１７】
請求項１５に記載の太陽電池複合型表示体において、
前記被覆部材は、前記光学シートの前記第１面又は前記第２面に積層されたシート状の部材であること、
を特徴とする太陽電池複合型表示体。
【請求項１８】
請求項１５から請求項１７までのいずれか１項に記載の太陽電池複合型表示体において、
前記被覆部材は、光を拡散する拡散機能、光を集光する集光機能、光を偏向する偏向機能の少なくともいずれかの機能を有していること、
を特徴とする太陽電池複合型表示体。
【請求項１９】
請求項１３から請求項１８までのいずれか１項に記載の太陽電池複合型表示体において、
前記貫通孔は、前記第１面側の開口が前記第２面側の開口に比べて大きいこと、
を特徴とする太陽電池複合型表示体。
【請求項２０】
請求項１から請求項１０までのいずれか１項に記載の太陽電池複合型表示体において、
前記複数の光源は、前記太陽電池パネルの前記受光面側に配置され、
前記光学シートは、前記シート面の法線方向から見た場合に、前記第２面の前記光源が対面する位置に、凹みが形成されていること、
を特徴とする太陽電池複合型表示体。
【請求項２１】
請求項１から請求項２０までのいずれか１項に記載の太陽電池複合型表示体において、
前記第１表示対象が表示する表示内容と前記第２表示対象が表示する表示内容とは、少なくとも一部が共通すること、
を特徴とする太陽電池複合型表示体。
【請求項２２】
請求項１から請求項２１までのいずれか１項に記載の太陽電池複合型表示体において、
前記第１表示対象及び前記第２表示対象のうち、少なくとも一方は、矢印であること、
を特徴とする太陽電池複合型表示体。
【請求項２３】
請求項１から請求項２２までのいずれか１項に記載の太陽電池複合型表示体において、
前記複数の表示面は、第１の表示面と、前記第１の表示面に隣接し、前記第１の表示面とは色が異なる第２の表示面とを有し、
該太陽電池複合型表示体を前記光学シートの前記シート面の法線方向から見て、前記複数の光源は、前記第１の表示面及び前記第２の表示面を含み、少なくとも前記一軸方向の前記第１の表示面及び前記第２の表示面の両隣となる５つ以内の表示面で構成される境界領域と重なる領域に配置されていること、
を特徴とする太陽電池複合型表示体。
【請求項２４】
請求項１から請求項２３までのいずれか１項に記載の太陽電池複合型表示体において、
前記光源は、前記一軸方向における幅が、前記表示面の前記一軸方向における幅の１０倍以下であること、
を特徴とする太陽電池複合型表示体。
【請求項２５】
請求項１から請求項２４までのいずれか１項に記載の太陽電池複合型表示体において、
前記複数の光源が、前記光学シートの前記第２面と前記太陽電池パネルの前記受光面との間に配置されること、
を特徴とする太陽電池複合型表示体。
【請求項２６】
請求項１から請求項２４までのいずれか１項に記載の太陽電池複合型表示体において、
前記複数の光源が、前記光学シートの前記第１面と前記第２面との間に配置されること、
を特徴とする太陽電池複合型表示体。
【請求項２７】
請求項１から請求項２４までのいずれか１項に記載の太陽電池複合型表示体において、
前記複数の光源が、前記光学シートの前記第１面側に配置されること、
を特徴とする太陽電池複合型表示体。
【発明の詳細な説明】
【技術分野】
【０００１】
本発明は、太陽電池複合型表示体に関するものである。
【背景技術】
【０００２】
従来、様々な表示体が開発されている。
例えば、特許文献１には、所定の方向へ特定の表示対象を表示する表示体が開示されている。特許文献１に開示された表示体では、表示面からの光の進行方向がレンズ面で偏向されることにより、所定の方向から表示対象を観察することが可能となる。
しかしながら、表示面からレンズ面へ向かう光が十分に確保されなくなると、表示対象を十分に観察することができなくなる。したがって、このような表示体では、表示対象を夜間に表示できなくなることもある。また、このような表示体を屋外に配置した場合には、太陽の位置に応じて、すなわち時間帯や季節に応じて、表示対象を十分に表示できなくなる可能性もある。
【０００３】
一方、特許文献２に開示された表示体では、光出射手段が設けられており、外光の入射状況に依らず、十分な表示を行うことが可能となっている。とりわけ、特許文献２に開示された表示体では、太陽電池パネルを用いて、光出射手段の電力を確保している。太陽電池パネルの利用は、屋外に固定される表示体に対し、配線の設置を不要とすることができる点において非常に有用である。
しかしながら、太陽電池パネルの受光面は、黒色又は暗色であり意匠性に乏しく、また、周囲環境との調和を図ることも難しい。とりわけ、表示対象が表示されている領域の近傍に、太陽電池パネルの受光面が視認されると、表示体の意匠性を著しく損なうことになる。
【０００４】
また、太陽電池による発電により得られる電力は限られているため、この限られた電力を有効に使用し、効果的に表示対象を表示できることも重要である。
【先行技術文献】
【特許文献】
【０００５】
【特許文献１】特開２０００−１３１７８３号公報
【特許文献２】特開２０００−５４３２５号公報
【発明の概要】
【発明が解決しようとする課題】
【０００６】
本発明の課題は、表示対象の良好な視認性を確保することができる太陽電池複合型表示体を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、第１面（２０ａ）及び前記第１面に対向する第２面（２０ｂ）を有するシート状の本体部（２０ｃ）を有する光学シートであり、そのシート面に対して傾斜して配置された複数の表示面（１２）が前記シート面に沿って少なくとも一軸方向（ｄ１）に沿って配列される光学シート（２０）と、受光面を有し、前記受光面が前記第２面に対向して配置される太陽電池パネル（５０）と、前記太陽電池パネルの前記受光面側に配置される複数の光源（７５）と、を備え、前記複数の表示面（１２）は、色による第１表示対象（１３）を表示し、前記複数の光源（７５）は、光による第２表示対象（１４）を表示すること、を特徴とする太陽電池複合型表示体（１０）である。
第２の発明は、第１の発明の太陽電池複合型表示体において、前記複数の光源（７５）が配置される基板（７１）は、透光性を有すること、を特徴とする太陽電池複合型表示体（１０）である。
第３の発明は、第１の発明又は第２の発明の太陽電池複合型表示体において、前記複数の光源（７５）は、前記光学シート（２０）に固定されていること、を特徴とする太陽電池複合型表示体（１０）である。
【０００８】
第４の発明は、第１の発明から第３の発明までのいずれかの太陽電池複合型表示体において、前記第１面（２０ａ）又は前記第２面（２０ｂ）に、複数の単位形状（２１，２８，２９）が少なくとも前記一軸方向（ｄ１）に沿って配列されており、前記表示面は、前記単位形状の面の一部に形成されていること、を特徴とする太陽電池複合型表示体（１０）である。
第５の発明は、第４の発明の太陽電池複合型表示体において、前記単位形状（２１）は、凸形状であり、少なくとも前記シート面に対して傾斜した第１斜面（２２）と前記第１斜面とは異なる角度で傾斜した第２斜面（２３）とを有すること、を特徴とする太陽電池複合型表示体（１０）である。
第６の発明は、第４の発明の太陽電池複合型表示体において、前記単位形状（２８）は、凸形状であり、前記一軸方向（ｄ１）及び前記光学シートの厚み方向（ｄ３）に沿った断面における断面形状の一部が、円又は楕円の少なくとも一部形状であること、を特徴とする太陽電池複合型表示体（１０）である。
第７の発明は、第４の発明の太陽電池複合型表示体において、前記単位形状（２９）は、凹形状であり、前記一軸方向（ｄ１）及び前記光学シートの厚み方向（ｄ３）に沿った断面における断面形状の一部が、円又は楕円の少なくとも一部形状であること、を特徴とする太陽電池複合型表示体（１０）である。
第８の発明は、第４の発明から第７の発明までのいずれかの太陽電池複合型表示体において、前記表示面（１２）は、少なくとも前記単位形状（２１，２８，２９）の前記一軸方向（ｄ１）の幅の両端部を被覆しないこと、を特徴とする太陽電池複合型表示体（１０）である。
第９の発明は、第１の発明から第３の発明までのいずれかの太陽電池複合型表示体において、前記第１面（２０ａ）及び前記第２面（２０ｂ）は、平坦状であり、前記表示面（１２）は、前記光学シートの前記第１面と前記第２面との間の本体部（２０ｃ）に形成されること、を特徴とする太陽電池複合型表示体（１０）である。
第１０の発明は、第１の発明から第９の発明までのいずれかの太陽電池複合型表示体において、前記表示面（１２）の各々は、少なくとも前記一軸方向（ｄ１）において、前記シート面に対して第１角度をなす第１領域と、前記シート面に対して前記第１角度とは異なる第２角度をなす傾斜をなす第２領域とを有し、前記第１領域と前記第２領域とは連続しており、前記第１領域と前記第２領域との接続点（２４）で傾斜方向が変化すること、を特徴とする太陽電池複合型表示体（１０）である。
第１１の発明は、第１の発明から第９の発明までのいずれかの太陽電池複合型表示体において、前記表示面（１２）の各々は、少なくとも前記一軸方向（ｄ１）において、該表示面の接線が変化しており、前記光学シートのシート面に対してなす角度が０°となる変節点（２４）を有し、前記変節点で前記接線の前記シート面に対する傾斜方向が変わること、を特徴とする太陽電池複合型表示体（１０）である。
第１２の発明は、第１の発明から第１１の発明までのいずれかの太陽電池複合型表示体において、前記複数の光源（７５）の少なくとも一部は、前記シート面の法線方向から見た場合に、前記表示面（１２）によって遮蔽されていない非遮蔽領域に配置されていること、を特徴とする太陽電池複合型表示体（１０）である。
【０００９】
第１３の発明は、第１の発明から第１２の発明までのいずれかの太陽電池複合型表示体において、前記複数の光源（７５）は、前記太陽電池パネル（５０）の前記受光面（５０ａ）側に配置され、前記光学シートは、前記シート面の法線方向から見た場合に前記光源が対面する位置に、貫通孔（２６）が形成されていること、を特徴とする太陽電池複合型表示体（１０）である。
第１４の発明は、第１３の発明の太陽電池複合型表示体において、前記貫通孔（２６）の側面（２６ａ）には、光を反射する反射領域、又は、光を拡散する拡散領域が形成されていること、を特徴とする太陽電池複合型表示体（１０）である。
第１５の発明は、第１３の発明又は第１４の発明の太陽電池複合型表示体において、前記貫通孔（２６）の前記第１面（２０ａ）側の端部には、透光性を有し、前記貫通孔の開口を覆う被覆部材（３１，３２）が設けられていること、を特徴とする太陽電池複合型表示体（１０）である。
第１６の発明は、第１５の発明の太陽電池複合型表示体において、前記被覆部材は、前記貫通孔の各々の前記第１面側の開口を被覆する蓋材（３１）であること、を特徴とする太陽電池複合型表示体（１０）である。
第１７の発明は、第１５の発明の太陽電池複合型表示体において、前記被覆部材は、前記光学シート（２０）の前記第１面（２０ａ）に積層されたシート状の部材（３２）であること、を特徴とする太陽電池複合型表示体（１０）である。
第１８の発明は、第１５の発明から第１７の発明までのいずれかの太陽電池複合型表示体において、前記被覆部材（３１，３２）は、光を拡散する拡散機能、光を集光する集光機能、光を偏向する偏向機能の少なくともいずれかの機能を有していること、を特徴とする太陽電池複合型表示体（１０）である。
第１９の発明は、第１３の発明から第１８の発明までのいずれかの太陽電池複合型表示体において、前記貫通孔（２６）は、前記第１面（２０ａ）側の開口が前記第２面（２０ｂ）側の開口に比べて大きいこと、を特徴とする太陽電池複合型表示体（１０）である。
第２０の発明は、第１の発明から第１０の発明までのいずれかの太陽電池複合型表示体において、前記複数の光源（７５）は、前記太陽電池パネル（５０）の前記受光面（５０ａ）側に配置され、前記光学シートは、前記シート面の法線方向から見た場合に、前記第２面の前記光源が対面する位置に、凹み（２７）が形成されていること、を特徴とする太陽電池複合型表示体（１０）である。
【００１０】
第２１の発明は、第１の発明から第２０の発明までのいずれかの太陽電池複合型表示体において、前記第１表示対象（１３）が表示する表示内容と前記第２表示対象（１４）が表示する表示内容とは、少なくとも一部が共通すること、を特徴とする太陽電池複合型表示体（１０）である。
第２２の発明は、第１の発明から第２１の発明までのいずれかの太陽電池複合型表示体において、前記第１表示対象（１３）及び前記第２表示対象（１４）のうち、少なくとも一方は、矢印であること、を特徴とする太陽電池複合型表示体（１０）である。
【００１１】
第２３の発明は、第１の発明から第２２の発明までのいずれかの太陽電池複合型表示体において、前記複数の表示面（１２）は、第１の表示面（１２Ａ−１）と、前記第１の表示面に隣接し、前記第１の表示面とは色が異なる第２の表示面（１２Ｂ−１）とを有し、該太陽電池複合型表示体を前記光学シート（２０）の前記シート面の法線方向から見て、前記複数の光源（７５）は、前記第１の表示面及び前記第２の表示面を含み、少なくとも前記一軸方向（ｄ１）の前記第１の表示面及び前記第２の表示面の両隣となる５つ以内の表示面で構成される境界領域と重なる領域に配置されていること、を特徴とする太陽電池複合型表示体（１０）である。
第２４の発明は、第１の発明から第２３の発明までのいずれかの太陽電池複合型表示体において、前記光源（７５）は、前記一軸方向（ｄ１）における幅が、前記表示面の前記一軸方向における幅の１０倍以下であること、を特徴とする太陽電池複合型表示体（１０）である。
【００１２】
第２５の発明は、第１の発明から第２４の発明までのいずれかの太陽電池複合型表示体において、前記複数の光源（７５）が、前記光学シート（２０）の前記第２面（２０ｂ）と前記太陽電池パネル（５０）の前記受光面（５０ａ）との間に配置されること、を特徴とする太陽電池複合型表示体（１０）である。
第２６の発明は、第１の発明から第２４の発明までのいずれかの太陽電池複合型表示体において、前記複数の光源（７５）が、前記光学シート（２０）の前記第１面（２０ａ）と前記第２面（２０ｂ）との間に配置されること、を特徴とする太陽電池複合型表示体（１０）である。
第２７の発明は、第１の発明から第２４の発明までのいずれかの太陽電池複合型表示体において、前記複数の光源（７５）が、前記光学シート（２０）の前記第１面（２０ａ）側に配置されること、を特徴とする太陽電池複合型表示体（１０）である。
【発明の効果】
【００１４】
本発明によれば、表示対象の良好な視認性を確保することができる太陽電池複合型表示体を提供することができる。
【図面の簡単な説明】
【００１５】
【図１】第１実施形態の太陽電池複合型表示体１０を説明する図である。
【図２】第１実施形態の太陽電池複合型表示体１０を説明する図である。
【図３】第１実施形態の太陽電池複合型表示体１０を説明する図である。
【図４】第１実施形態の太陽電池複合型表示体１０の第１表示対象１３の視認等について説明する図である。
【図５】第２実施形態の太陽電池複合型表示体１０を説明する図である。
【図６】第２実施形態の太陽電池複合型表示体１０の他の例を説明する図である。
【図７】第３実施形態の太陽電池複合型表示体１０を説明する図である。
【図８】第４実施形態の太陽電池複合型表示体１０を説明する図である。
【図９】第５実施形態の太陽電池複合型表示体１０を説明する図である。
【図１０】第６実施形態の太陽電池複合型表示体１０を説明する図である。
【図１１】第７実施形態の太陽電池複合型表示体１０を説明する図である。
【図１２】第８実施形態の太陽電池複合型表示体１０を説明する図である。
【図１３】第９実施形態の太陽電池複合型表示体１０を説明する図である。
【図１４】光源７５が配置される境界領域について説明する図である。
【図１５】表示面１２の変形形態を示す図である。
【図１６】光源７５の配置される位置の変形形態を示す図である。
【発明を実施するための形態】
【００１６】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書において、「シート」、「フィルム」、「板」等の用語は、呼称の違いのみに基づいて、互いから区別されるものではない。したがって、例えば、「シート」は、フィルムや板とも呼ばれ得るような部材も含む概念であるとする。
本明細書中において、「シート面」とは、対象となるシート状の部材を全体的かつ大局的に見た場合において対象となるシート状部材の平面方向と一致する面のことを指す。フィルム面、板面、パネル面等についても、同様とする。
本明細書中に記載する各部材の寸法等の数値及び材料名等は、実施形態としての一例であり、これに限定されるものではなく、適宜選択して使用してよい。
【００１７】
（第１実施形態）
図１〜図３は、第１実施形態の太陽電池複合型表示体１０を説明する図である。図１は、第１実施形態の太陽電池複合型表示体１０の斜視図であり、図２は、第１実施形態の太陽電池複合型表示体１０の平面図と図２に示すＩＩＩ−ＩＩＩ線に沿った光学シート２０の断面とを示し、図３は、第１実施形態の太陽電池複合型表示体１０を図２に示すＩＩ−ＩＩ線に沿った断面のうち、領域Ａに相当する部分を示している。
図１，図３に示すように、本実施形態の太陽電池複合型表示体１０は、光学シート２０と、光学シート２０の背面に配置された太陽電池パネル５０と、光学シート２０と太陽電池パネル５０との間に複数の光源７５が配置された照明装置７０とを有している。
本実施形態において、光学シート２０と太陽電池パネル５０とは、平面視において、同一の矩形形状であり、光学シート２０のシート面、太陽電池パネル５０のパネル面、及び、太陽電池パネル５０の受光面５０ａは、互いに平行である。
【００１８】
ここで、図１等に示すように、この太陽電池複合型表示体１０を観察した場合の上下方向を第１軸方向ｄ１、左右方向を第２軸方向ｄ２、厚み方向（奥行き方向）を第３軸方向ｄ３とする。この第１軸方向ｄ１及び第２軸方向ｄ２は、光学シート２０のシート面に平行であり、第３軸方向ｄ３は、光学シート２０のシート面に直交する。
なお、理解を容易にするために、第１実施形態を含め以下の各実施形態において、第１軸方向ｄ１と第２軸方向ｄ２とは直交するものとして説明する。
【００１９】
この太陽電池複合型表示体１０は、様々な用途で利用することができる。例えば、太陽電池複合型表示体１０は、屋外看板、道路情報掲示板、建築物の外壁面等で用いられる数ｍ〜数十ｍサイズの大型パネル、ポスター、標識、建築物の内壁面等で用いられる数十ｃｍ〜数ｍサイズの中型パネル、卓上スタンド、携帯端末等で用いられる数ｃｍ〜数十ｃｍの小型パネル等に使用することができる。
【００２０】
光学シート２０は、平面視において矩形状であるシート状の部材であり、互いに対向する表面２０ａ及び裏面２０ｂと、表面２０ａと裏面２０ｂとの間の本体部分となる本体部２０ｃとを有している。表面２０ａは、太陽電池複合型表示体１０へ入射する太陽光等の外光等の入射面であり、また、光源７５が発する光が太陽電池複合型表示体１０から出射する出射面となる。一方、裏面２０ｂは、太陽電池パネル５０の受光面５０ａへ向かう光が光学シート２０から出射する出射面となる。
【００２１】
この光学シート２０は、裏面２０ｂ（太陽電池パネル５０側の面）に複数の単位形状２１が第１軸方向ｄ１に配列されて形成されている。
本実施形態の単位形状２１は、第１軸方向ｄ１に配列され、第２軸方向ｄ２に直線状に延びている。そして、図３に示すように、単位形状２１は、太陽電池パネル５０側に凸となる形状であり、その配列方向（第１軸方向ｄ１）及び光学シート２０の厚み方向（第３軸方向ｄ３）に沿った断面における断面形状が二等辺三角形形状である。
図３に示す単位形状２１の断面形状において、太陽電池パネル５０に接近するように最も突出した部分を頂部２４とし、その頂角をαとする。また、単位形状２１を形成する２つの斜面のうち、頂部２４よりも図面内上側に位置する面を第１斜面２２、下側に位置する面を第２斜面２３とし、これらが光学シート２０のシート面に沿った面となす角度をそれぞれ角度β，γとする。本実施形態では、角度β，γは、β＝γである。
第１斜面２２及び第２斜面２３は、光学シート２０のシート面に対してそれぞれ角度β，γをなして傾斜する平面であり、その傾斜する方向が反対となっている。そして、頂部２４は、第１斜面２２の太陽電池パネル５０側の端部と、第２斜面２３の太陽電池パネル５０側の端部との接続位置であり、表示面１２の傾斜方向の変わる変節点となっている。
【００２２】
光学シート２０は、本体部２０ｃとなる単位形状２１間の溝部分の底となる底部２５から表面２０ａまでの部分に十分な厚みを有しており、屈曲や衝撃に対する機械強度を確保することができる。
また、光学シート２０の単位形状２１間の溝状の部分、及び、光学シート２０と照明装置７０との間には、空気層が形成されている。
このような光学シート２０は、透光性を有する樹脂、例えば、屈折率が１．５０〜１．６０程度に調整されたウレタンアクリレート系、エポキシアクリレート系等のアクリレート系樹脂により形成される。また、光学シート２０は、透光性を有するガラス等により形成してもよい。
【００２３】
表示面１２は、光学シート２０の単位形状２１の表面の一部に設けられており、第１軸方向ｄ１に配列され、第２軸方向ｄ２に直線状に延びている。
表示面１２は、観察者Ｐが視認可能な第１表示対象１３の少なくとも一部が表示される部分であり、複数の表示面１２により、色によって第１表示対象１３が視認可能に表示される。本実施形態の表示面１２は、単位形状２１の表面に印刷等により形成されている。
この第１表示対象１３は、図形、パターン、デザイン、色彩、絵、写真、キャラクター等の絵柄（イメージ）や、文字、マーク、数字等の情報を例示することができる。第１表示対象１３は、静止していても動いていてもよい。本実施形態では、第１表示対象１３の一例として、図面内右側を指す矢印の静止画を示している。
【００２４】
図３に示すように、表示面１２は、第１斜面２２の頂部２４側の一部から第２斜面２３の頂部２４側の一部に連続して形成されており、頂部２４において、光学シート２０のシート面に対する角度が変化し、傾斜方向が逆となっている。また、表示面１２は、単位形状２１の配列方向（第１軸方向ｄ１）の両端部となる点２２ａ，２３ａ上には形成されておらず、点２２ａ，２３ａを被覆していない。
本実施形態では、第１軸方向ｄ１における単位形状の幅Ｗ０は、第１軸方向ｄ１における表示面１２の幅Ｗ１よりも大きい。また、第１軸方向ｄ１において、第１斜面２２上の表示面１２の寸法Ｗ２は、第２斜面２３上の表示面１２の寸法Ｗ３と等しい。
【００２５】
太陽電池パネル５０は、受光面５０ａで受光した光を電気エネルギーに変換する発電装置である。太陽電池パネル５０は、種々の形態のものを使用することができる。例えば、単結晶シリコン又は多結晶シリコン等からなる平板状のシリコン基板を含むシリコン系太陽電池パネル、薄膜太陽電池パネル、カルコパイライト系太陽電池等を、太陽電池パネル５０として用いることができる。
この太陽電池パネル５０は、制御回路１９を介して、発電した電力を照明装置７０に供給して、光源７５を動作させる。
制御回路１９は、蓄電池１８に接続されており、受光面５０ａに太陽光が射している間に発電した電力を蓄電池１８に貯め、夜間等、受光面５０ａに太陽光が射していない間には、蓄電池１８に蓄電された電力によって、照明装置７０を動作させる。
【００２６】
照明装置７０は、太陽電池パネル５０で発電された電力を利用して動作する装置である。図３に示すように、照明装置７０の光源７５は、制御回路１９を介して、太陽電池パネル５０に接続されている。
この照明装置７０は、図１及図３に示すように、光学シート２０と太陽電池パネル５０との間に配置され、複数の光源７５を備える光源シート７１を有している。
光源シート７１は、光学シート２０の裏面２０ｂと太陽電池パネル５０の受光面５０ａとの間に配置されるシート状の部材であり、支持体７２と、配線７３と、光源７５とを備えている。
【００２７】
支持体７２は、受光面５０ａに対面して配置された透光性を有するシート状の部材であり、透光性を有する樹脂やガラス等により形成されている。この支持体７２は、光源７５を支持する支持部材として機能する。
配線７３は、支持体７２上に形成され、各光源７５に接続され、制御回路１９からの信号を各光源７５に伝える部材である。この配線７３は、例えば、銅、アルミニウム、銀等から形成される。
このような支持体７２及び配線７３を備える光源シート７１は、所謂プリント基板が好適に用いられる。
【００２８】
光学シート２０から太陽電池パネル５０へ向かう光は、照明装置７０の光源シート７１を透過する。このため、光源シート７１は、少なくとも一部が透光性を有している。ここで「透光性」とは、４００ｎｍ以上１０００ｎｍ以下の帯域の光透過率が５０％以上であることを言う。なお、４００ｎｍ以上１０００ｎｍ以下の帯域の光透過率は、分光光度計（（株）島津製作所製「ＵＶ−３１００ＰＣ」、ＪＩＳＫ０１１５準拠品）を用いて測定波長４００ｎｍ〜１０００ｎｍの範囲内で測定したときの、各波長における透過率の平均値として特定される。
光源シート７１は、この光源シート７１のシート面の法線方向から観察した際に、支持体７２の全領域のうちの５０％以上の部分が露出するようになっている。すなわち、支持体７２の全領域のうちの、配線７３や光源７５で覆われている面積が５０％未満となっている。このような光源シート７１によれば、当該光源シート７１を全体として捉えた場合の、光透過率を５０％以上に確保することができ、光源シート７１が全体として透光性を確保することが可能となる。
【００２９】
光源７５は、支持体７２の光学シート２０側の面に、互いに離間して複数設けられている。図３等に示すように、光源７５は、その光出射面が光学シート２０側に向けて配置されており、出射した光の多くが、光学シート２０側に向かって進む。
光源７５は、点状の発光体であり、例えば、点状のＬＥＤ（発光ダイオード）が好適に用いられる。本実施形態では、一例として、白色光を発するＬＥＤを用いている。
図３等では、光源７５と光学シート２０とは離間して示しているが、実際には、光源７５は、光学シート２０に接着剤等で接合され、固定されている。
図２、図３に示すように、光源７５は、支持体７２上に表示面１２の第１表示対象１３の形状に合わせて、互いに離間して配列されている。複数の光源７５は、点灯することにより光による第２表示対象１４を表示する。本実施形態の第２表示対象１４は、その表示内容が第１実施形態と共通している。なお、図２、図３では、複数の光源７５を用いて第２表示対象１４を表示しているが、一つの光源を用いてその光源から出射する光の面内分布を制御することによって第２表示対象１４を表示させてもよい。
【００３０】
図３では、第１軸方向ｄ１において、光源７５は、単位形状２１よりも小さい形状である例を示している。しかし、これに限らず、光源７５は、その幅Ｗ１が単位形状２１の幅Ｗ０の１０倍以下、より好ましくは５倍以下であれば、好適に使用できる。
また、図３では、光源７５は、第１軸方向ｄ１において、その中心が単位形状２１の頂部２４に対応する位置に配置されている例を示しているが、光源７５は、第１表示対象１３の形状に対応する位置に配置されるのであれば、単位形状２１の頂部２４と光源７５の光出射面の中心とが対応しない位置に配置してもよい。例えば、光源７５は、光出射面の中心が第１斜面２２や第２斜面２３に対応する位置に配置してもよいし、底部２５に対応する位置に配置されてもよい。
本実施形態を含め以降に示す各実施形態においては、理解を容易にするために、光源７５は、第１軸方向ｄ１において、その光出射面の中心が単位形状２１の頂部２４に対応する位置に配置されている例を挙げて説明する。
【００３１】
図１４は、光源７５が配置される境界領域について説明する図である。
色の異なる表示面１２Ａ及び表示面１２Ｂで第１表示対象１３を表示するとき、第１表示対象１３の輪郭部分（表示面１２Ａと表示面１２Ｂとの境界部分）に、光源７５が配置されることが望ましいが、輪郭（境界）から少しずれた位置に配置されても十分良好に第２表示領域を表示できる。
すなわち、太陽電池複合型表示体１０を正面方向（光学シート２０のシート面の法線方向）から見た場合に、色が異なり、互いに隣接する表示面１２Ａ−１と表示面１２Ｂ−１を含み、表示面１２の配列方向（第１軸方向ｄ１）において、これらの両隣となる５列以内の表示面で構成される境界領域と対応する領域に、光源７５が配置されていることが好ましい。
【００３２】
図３に示すように、第３軸方向ｄ３（光学シート２０のシート面の法線方向）から見て、光学シート２０の光源７５が対面する位置には、表示面１２が形成されておらず、光源７５からの光は、光学シート２０を透過して表面２０ａから観察者側に出射する。そして、光源７５が動作することにより、その光によって第２表示対象１４を表示する。
光学シート２０の光源７５が対面する位置には、表示面１２がないので、光源７５から出射された光を効果的に第２表示対象１４の表示に用いることができる。
なお、前述のように、図３に示す断面において、光源７５の光出射面の中心と、単位形状２１の頂部２４とが第１軸方向においてずれた位置にある場合には、光源７５に対応する領域のみ表示面が形成されていない形態としてもよい。
【００３３】
図４は、第１実施形態の太陽電池複合型表示体１０の第１表示対象１３の視認等について説明する図である。
上述のように、各表示面１２は、各単位形状２１の表面の一部にのみ形成されているので、光学シート２０の表面２０ａ側の上方から入射する太陽光Ｌ１や、下方から入射する照り返し光Ｌ２は、その多くが表示面１２に遮蔽されることなく、太陽電池パネル５０の受光面５０ａに到達することができる。
また、光学シート２０は、光源７５に対面する位置には、表示面１２が形成されていないので、光源７５からの光Ｌ３が表示面１２に遮蔽されることなく、光学シート２０を透過し、太陽電池複合型表示体１０から出射する。したがって、観察者Ｐは、複数の光源７５の光による第２表示対象１４を良好に視認できる。
また、各々の表示面１２は、第１軸方向ｄ１において、頂部２４を含む頂部２４近傍に形成され、各々の単位形状２１及び表示面１２は、頂部２４を通り第３軸方向ｄ３に沿って直線を軸として対称な形状である。したがって、この太陽電池複合型表示体１０を正面方向（第３軸方向ｄ３）観察者Ｐ側から見た場合に、複数の表示面１２による第１表示対象１３を良好に視認できる。また、矢印、アルファベットのＭやＷ、親指を立てた手の絵等といったように、第１表示対象１３及び第２表示対象１４が上下を反転させると、反転前とは異なる表示内容を表示する上下絵等であったり、反転させても同じ表示内容を表示する図柄等であったりする場合には、太陽電池複合型表示体１０の上下を反対にして配置しても使用可能である。
【００３４】
本実施形態によれば、以下の効果を奏することができる。
太陽電池複合型表示体１０の正面方向（光学シート２０のシート面の法線方向）に位置する観察者Ｐは、複数の表示面１２によって色により表示される第１表示対象１３と、複数の光源７５の光によって表示される第２表示対象１４との双方を良好に視認できる。さらに、第１表示対象１３の表示内容と第２表示対象１４の表示内容とは共通しているので、例えば、明るい昼間では第１表示対象１３による表示を行い、夕方や夜間等のように第１表示対象１３が視認し難い環境では、第２表示対象１４での表示を行う等、環境に合わせて表示対象の視認性を向上できる。
また、光源７５に対応する位置には表示面１２は形成されていないので、光源７５の光を表示面１２で遮蔽することなく、第２表示対象１４を明るく表示でき、視認性を向上させることができる。
【００３５】
前述のように、各々の表示面１２は、第１軸方向ｄ１において、頂部２４を含む頂部２４近傍に形成され、各々の単位形状２１及び表示面１２は、頂部２４を通り第３軸方向ｄ３に沿った直線を軸として対称な形状であるので、第１表示対象１３及び第２表示対象１４として、上下を反転させると反転前とは異なる表示内容を表示する上下絵や、反転させても同じ表示内容を表示する図柄等を採用する場合には、太陽電池複合型表示体１０の上下を反対にして配置しても使用可能である。
光学シート２０は、複数配列された表示面１２を有しているので、第１表示対象１３が視認される方向（主に正面方向）から太陽電池パネル５０の受光面５０ａが視認され難くすることができる。これにより、太陽電池複合型表示体１０の意匠性の向上や周囲環境との不調和を解消することができる。
上方からの太陽光や下方からの照り返し光は、表示面１２に遮蔽されることなく、太陽電池パネル５０の受光面５０ａに到達でき、照明装置７０の光源７５は、太陽電池パネル５０で発電された電力を利用して動作できる。したがって、例えば、屋外に固定される太陽電池複合型表示体１０に対し、配線の設置が不要となる。
【００３６】
（第２実施形態）
図５は、第２実施形態の太陽電池複合型表示体１０を説明する図である。図５では、第１実施形態の太陽電池複合型表示体１０の図３に示す断面に相当する第２実施形態の太陽電池複合型表示体１０の断面を示している。また、図５では、理解を容易にするために、光学シート２０と照明装置７０のみを示している。
第２実施形態の太陽電池複合型表示体１０は、光学シート２０の光源７５に対応する位置に、貫通孔２６が形成されている点以外は、前述の第１実施形態の太陽電池複合型表示体１０と同様の形態である。したがって、前述した第１実施形態と同様の機能を果たす部分には、同一の符号又は末尾に同一の符号を付して、重複する説明を適宜省略する。
図５に示すように、第２実施形態の光学シート２０は、太陽電池複合型表示体１０を正面方向（光学シート２０のシート面に垂直な方向、第３軸方向ｄ３）から見たときに、光源７５が対面する位置に、光学シート２０の厚み方向（第３軸方向ｄ３）に形成された貫通孔２６を有している。
【００３７】
貫通孔２６の側面２６ａは、例えば、銀やアルミニウム等の蒸着膜が形成された領域を有し、光を反射する反射機能を有していてもよいし、微細凹凸形状によるマット面が形成された領域を有し、光を拡散させる拡散機能を有していてもよい。
側面２６ａが反射機能を有することにより、正面方向もしくはそれに近い方向へ向かう光源７５からの光量を高め、輝度を高めることができる。また、側面２６ａが拡散機能を有することにより、光源７５からの光を広角に広げることができる。
また、貫通孔２６は、表面２０ａ側の開口が裏面２０ｂ側（光源７５側）の開口よりも大きな形態としてもよい。このような形態とすることにより、光源７５からの光を広げ、第２表示対象１４をより広角で視認することができる。
【００３８】
上述のような形態とすることにより、光源７５の発する光が光学シート２０を透過する際に失われる光量を大幅に抑制でき、高い輝度で第２表示対象１４を表示することができる。
したがって、本実施形態によれば、第１実施形態において示した効果に加えて、太陽電池パネル５０による発電で得られる限られた電力で、高輝度で第２表示対象１４を表示でき、視認性を向上させることができる。
【００３９】
図６は、第２実施形態の太陽電池複合型表示体１０の他の例を説明する図である。
図６では、図５に示した第２実施形態の太陽電池複合型表示体１０の断面の一部であって、光源７５が配置されている領域を示している。
図６（ａ）に示すように、太陽電池複合型表示体１０は、貫通孔２６の表面２０ａ側の開口を覆う被覆部材として、蓋３１を備えていてもよい。この蓋３１は、透光性を有する樹脂製又はガラス製の部材であり、不図示の接着剤等により、光学シート２０の表面２０ａに接合されている。この蓋３１は、光学シート２０に比べてその厚みが薄い。
【００４０】
このような蓋３１を備えることにより、貫通孔２６から太陽電池複合型表示体１０内部に砂やゴミ、埃、雨や雪等が侵入して引き起こされる故障や表示面１２の劣化等を大幅に抑制することができる。また、蓋３１は光学シート２０よりも厚さが薄いので、透過する際の光量の損失を抑制し、高い輝度で第２表示対象１４を表示できる。
また、蓋３１は、光を集光する集光機能、光を拡散する拡散機能、光を所定の方向へ偏向する偏向機能の少なくともいずれか１つの機能を有していることが好ましい。蓋３１がこのような光学機能を有することにより、第２表示対象１４の輝度や視角等を適宜調整することができる。
【００４１】
また、図６（ｂ）に示すように、太陽電池複合型表示体１０は、貫通孔２６の表面２０ａ側の開口を覆う被覆部材として、光学シート２０の表面２０ａに一体に積層されたシート状の部材である保護シート３２を備えていてもよい。この保護シート３２は、積層される光学シート２０と同一の矩形形状であり、光学シート２０の表面２０ａ全面を被覆している。
この保護シート３２は、透光性を有する樹脂製の部材であり、その厚みは、光学シート２０に比べて薄い。
このような保護シート３２を備えることにより、貫通孔２６から太陽電池複合型表示体１０内部に砂やゴミ、埃、雨や雪等が侵入して引き起こされる故障や表示面１２の劣化等を大幅に抑制することができる。また、保護シート３２は、光学シート２０の表面２０ａに積層されているので、配置が容易であり、光学シート２０を損傷や劣化等から保護することができる。さらに、保護シート３２は、光学シート２０よりも厚さが薄いので、透過する際の光量の損失を抑制し、高い輝度で第２表示対象１４を表示できる。
【００４２】
また、保護シート３２は、例えば、ハードコート機能や防汚機能、帯電防止機能、紫外線吸収機能、反射防止機能等の少なくともいずれか１つの機能を有していることが好ましい。このような保護シート３２を備えることにより、光学シート２０を損傷や汚れ、紫外線による劣化から保護することができ、また、光学シート２０への入射光量を増加させることができる。
さらに、保護シート３２は、前述の蓋３１同様に、光を集光する集光機能、光を拡散する拡散機能、光を所定の方向へ偏向する偏向機能の少なくともいずれか１つの機能を有していることが好ましい。このような光学機能を有することにより、第２表示対象１４の視角等を適宜調整することができる。
【００４３】
図７は、第３実施形態の太陽電池複合型表示体１０を説明する図である。
図７では、図３に示した第１実施形態の太陽電池複合型表示体１０の断面に相当する第３実施形態の太陽電池複合型表示体１０の断面の一部であって、光源７５が配置されている領域を示している。また、理解を容易にするために、図７では、光学シート２０と照明装置７０とを示している。
第３実施形態の太陽電池複合型表示体１０は、光学シート２０の光源７５に対応する位置に、凹み２７が形成されている点以外は、前述の第１実施形態の太陽電池複合型表示体１０と同様の形態である。したがって、前述した第１実施形態と同様の機能を果たす部分には、同一の符号又は末尾に同一の符号を付して、重複する説明を適宜省略する。
図７に示すように、第３実施形態の光学シート２０は、太陽電池複合型表示体１０を正面方向（光学シート２０のシート面に垂直な方向、第３軸方向ｄ３）から見たときに、裏面２０ｂの光源７５が対面する位置に、光学シート２０の厚み方向（第３軸方向ｄ３）に形成された凹み２７を有している。
【００４４】
本実施形態の凹み２７は、光学シート２０のシート面の法線方向（第３軸方向ｄ３）から見た形状が、円形である。しかし、これに限らず、例えば、楕円形や長円形、正方形、長方形、六角形等の多角形形状等としてもよい。
また、凹み２７は、その内部に光源７５を収納可能な大きさを有している。図７では、照明装置７０と光学シート２０とは離間させて記載しているが、光学シート２０を光源シート７１と積層し、凹み２７内に光源７５が収納された形態とすることができる。このような形態とすることにより、太陽電池複合型表示体１０を薄型化することができる。
また、凹み２７により、光源７５の対面する部分の光学シート２０の厚みが薄くなる。したがって、光学シート２０を透過する際の光量の損失を抑え、限られた電力であっても高い輝度で第２表示対象１４を表示することができる。
【００４５】
この凹み２７は、底面２７ｂが平面状である例を示したが、これに限らず、曲面状としてもよい。
また、凹み２７は、その側面２７ａや底面２７ｂが、拡散機能や集光機能等を有していてもよい。例えば、側面２７ａは、微細凹凸形状によるマット面が形成され、拡散機能を有していてもよい。また、底面２７ｂは、微細凹凸形状によるマット面が形成され、拡散機能を有していてもよいし、フレネルレンズ形状等のようなレンズ形状が形成され、集光機能や偏向機能を有していてもよい。
【００４６】
図８は、第４実施形態の太陽電池複合型表示体１０を説明する図である。
図８では、図３に示した第１実施形態の太陽電池複合型表示体１０の断面に相当する第４実施形態の太陽電池複合型表示体１０の断面を示している。
第４実施形態の太陽電池複合型表示体１０は、単位形状２１が光学シート２０の表面２０ａに形成されている点以外は、前述の第１実施形態の太陽電池複合型表示体１０と同様の形態である。したがって、前述した第１実施形態と同様の機能を果たす部分には、同一の符号又は末尾に同一の符号を付して、重複する説明を適宜省略する。
第４実施形態の太陽電池複合型表示体１０は、光学シート２０、照明装置７０、太陽電池パネル５０等を備えている。
【００４７】
光学シート２０は、単位形状２１が、光学シート２０の表面２０ａに複数形成され、第１軸方向ｄ１に沿って配列されている。
このような形態とした場合にも、前述の第１実施形態と同様に、太陽光等の上方からの光Ｌ１や、照り返し等の下方からの光Ｌ２は、表示面１２に遮蔽されることなく光学シート２０や光源シート７１を透過して太陽電池パネル５０の受光面５０ａに到達でき、太陽電池パネル５０により十分に発電を行うことができる。
また、正面方向（光学シート２０のシート面の法線方向、第３軸方向ｄ３）からこの太陽電池複合型表示体１０を観察する観察者Ｐは、複数の表示面１２によって色によって表示される第１表示対象１３を良好に視認することができる。
また、夕方や夜間等においては、太陽電池パネル５０で発電された電力を用いて、複数の光源７５を動作させ、光による第２表示対象１４を高い輝度で表示でき、視認性を高めることができる。
【００４８】
また、表示面１２が複数配列されているので、第１表示対象１３を視認する方向からは太陽電池パネル５０の受光面５０ａが視認されにくく、太陽電池複合型表示体１０の意匠性を向上させることができる。
また、第１表示対象１３及び第２表示対象１４として、上下を反転させても使用可能な矢印等を表示することにより、必要に応じて上下を反転させて使用することができ、汎用性、利便性を向上させることができる。
【００４９】
この第４実施形態において、前述の第２実施形態や第３実施形態に示したように、光学シート２０は、貫通孔１６や、蓋３１や保護シート３２等の被覆部材を備える貫通孔２６、裏面２０ｂに形成される凹み等を備える形態としてもよい。なお、この場合、本実施形態においては、蓋３１や保護シート３２は、光学シート２０の裏面２０ｂに設ける方が好ましい。
【００５０】
図９は、第５実施形態の太陽電池複合型表示体１０を説明する図である。
図９では、図３に示した第１実施形態の太陽電池複合型表示体１０の断面に相当する第５実施形態の太陽電池複合型表示体１０の断面を示している。
第５実施形態の太陽電池複合型表示体１０は、光学シート２０の裏面２０ｂに凸形状の単位形状２８が複数形成されて配列されており、単位形状２８の配列方向（第１軸方向ｄ１）及び光学シート２０の厚み方向（第３軸方向ｄ３）に沿った断面での断面形状が、円の一部形状である点以外は、前述の第１実施形態と同様の形態である。したがって、前述した第１実施形態と同様の機能を果たす部分には、同一の符号又は末尾に同一の符号を付して、重複する説明を適宜省略する。
第５実施形態の太陽電池複合型表示体１０は、光学シート２０、照明装置７０、太陽電池パネル５０等を備えている。
【００５１】
光学シート２０は、裏面２０ｂに単位形状２８が複数配列されている。
単位形状２８は、太陽電池パネル５０側に凸となる凸形状であり、長手方向を第２軸方向ｄ２とし、第１軸方向ｄ１に複数配列されている。
本実施形態の単位形状２８は、図９に示すように、配列方向及び光学シート２０の厚み方向に沿った断面での断面形状が半円状であるが、これに限らず、例えば、円や楕円や長円形の一部形状等としてもよいし、曲面から形成される他の凹形状としてもよい。また、一部が平面により形成されていてもよい。
表示面１２は、単位形状２８の頂部２４と頂部２４近傍からなる領域に形成されている。第１軸方向ｄ１において、表示面１２の幅Ｗ１は、単位形状２８の幅Ｗ０よりも小さい。
また、頂部２４を通り、光学シート２０のシート面の法線方向（第３軸方向ｄ３）に沿った直線を基準として、単位形状２８及び表示面１２は、第１軸方向ｄ１において対称な形状である。
【００５２】
表示面１２に対する接線（単位形状２８に対する接線）がシート面となす角度δは、表示面１２の第１軸方向ｄ１の上側端部１２ａから頂部２４に向かうにつれて小さくなり、頂部２４でδ＝０°となり、下側端部１２ｂに向かうにつれて大きくなる。そして、表示面１２に対する接線は、その傾きの方向が、頂部２４上で反対方向に変わる。したがって、頂部２４は、表示面１２の接線の変節点となる。
【００５３】
このような形態とした場合にも、第１実施形態と同様に、太陽光等の上方からの光Ｌ１や、照り返し等の下方からの光Ｌ２は、表示面１２に遮蔽されることなく光学シート２０や光源シート７１を透過して太陽電池パネル５０の受光面５０ａに到達でき、太陽電池パネル５０により十分に発電を行うことができる。
また、正面方向（光学シート２０のシート面の法線方向、第３軸方向ｄ３）からこの太陽電池複合型表示体１０を観察する観察者Ｐは、複数の表示面１２によって色により表示される第１表示対象１３を良好に視認することができる。
また、夕方や夜間等においては、太陽電池パネル５０で発電された電力を用いて、複数の光源７５を動作させ、光による第２表示対象を高い輝度で表示でき、視認性を高めることができる。
【００５４】
また、表示面１２が複数配列されているので、第１表示対象１３を視認する方向からは太陽電池パネル５０の受光面５０ａが視認されにくく、太陽電池複合型表示体１０の意匠性を向上させることができる。
また、第１表示対象１３及び第２表示対象１４として、上下を反転させても使用可能な矢印等を表示することにより、必要に応じて上下を反転させて使用することができ、汎用性、利便性を向上させることができる。
【００５５】
図１０は、第６実施形態の太陽電池複合型表示体１０を説明する図である。
図１０では、図３に示した第１実施形態の太陽電池複合型表示体１０の断面に相当する第６実施形態の太陽電池複合型表示体１０の断面を示している。
第６実施形態の太陽電池複合型表示体１０は、光学シート２０の表面２０ａに凸形状の単位形状２８が複数形成されて配列されており、単位形状２８の配列方向（第１軸方向ｄ１）及び光学シート２０の厚み方向に沿った断面での断面形状が、円の一部形状である点以外は、前述の第１実施形態と同様の形態である。したがって、前述した第１実施形態と同様の機能を果たす部分には、同一の符号又は末尾に同一の符号を付して、重複する説明を適宜省略する。
第６実施形態の太陽電池複合型表示体１０は、光学シート２０、照明装置７０、太陽電池パネル５０等を備えている。
【００５６】
光学シート２０は、表面２０ａに単位形状２８が複数配列されている。
単位形状２８は、観察者Ｐ側に凸となる凸形状であり、長手方向を第２軸方向ｄ２とし、第１軸方向ｄ１に複数配列されている。
本実施形態の単位形状２８は、図１０に示すように、配列方向及び光学シート２０の厚み方向に沿った断面での断面形状が半円状であるが、これに限らず、例えば、円や楕円や長円形の一部形状等としてもよいし、曲面から形成される他の形状としてもよい。また、一部が平面により形成されていてもよい。
表示面１２は、単位形状２８の頂部２４と頂部２４近傍からなる領域に形成されている。第１軸方向ｄ１において、表示面１２の幅Ｗ１は、単位形状２８の幅Ｗ０よりも小さい。
また、頂部２４を通り、光学シート２０のシート面の法線方向（第３軸方向ｄ３）に沿った直線を基準として、単位形状２８及び表示面１２は、第１軸方向ｄ１において対称な形状である。
【００５７】
表示面１２に対する接線（単位形状２８に対する接線）がシート面となす角度δは、表示面１２の第１軸方向ｄ１の上側端部１２ａから頂部２４に向かうにつれて小さくなり、頂部２４でδ＝０°となり、下側端部１２ｂに向かうにつれて大きくなる。そして、表示面１２に対する接線は、その傾きの方向が、頂部２４上で反対方向に変わる。したがって、頂部２４は、表示面１２の接線の変節点となる。
【００５８】
このような形態とした場合にも、第１実施形態と同様に、太陽光等の上方からの光や、照り返し等の下方からの光は、表示面１２に遮蔽されることなく光学シート２０や光源シート７１を透過して太陽電池パネル５０の受光面５０ａに到達でき、太陽電池パネル５０により十分に発電を行うことができる。
また、正面方向（光学シート２０のシート面の法線方向）からこの太陽電池複合型表示体１０を観察する観察者Ｐは、複数の表示面１２によって色によって表示される第１表示対象１３を良好に視認することができる。
また、夕方や夜間等においては、太陽電池パネル５０で発電された電力を用いて、複数の光源７５を動作させ、光による第２表示対象を高い輝度で表示でき、視認性を高めることができる。
【００５９】
また、表示面１２が複数配列されているので、第１表示対象１３を視認する方向からは太陽電池パネル５０の受光面５０ａが視認されにくく、太陽電池複合型表示体１０の意匠性を向上させることができる。
また、第１表示対象１３及び第２表示対象１４として、上下を反転させても使用可能な矢印等を表示することにより、必要に応じて上下を反転させて使用することができ、汎用性、利便性を向上させることができる。
【００６０】
図１１は、第７実施形態の太陽電池複合型表示体１０を説明する図である。
図１１では、図３に示した第１実施形態の太陽電池複合型表示体１０の断面に相当する第７実施形態の太陽電池複合型表示体１０の断面を示している。
第７実施形態の太陽電池複合型表示体１０は、光学シート２０の裏面２０ｂに凹形状の単位形状２９が複数形成されて配列されており、単位形状２９の配列方向（第１軸方向ｄ１）及び光学シート２０の厚み方向（第３軸方向ｄ３）に沿った断面での断面形状が、円の一部形状である点以外は、前述の第１実施形態と同様の形態である。したがって、前述した第１実施形態と同様の機能を果たす部分には、同一の符号又は末尾に同一の符号を付して、重複する説明を適宜省略する。
第７実施形態の太陽電池複合型表示体１０は、光学シート２０、照明装置７０、太陽電池パネル５０等を備えている。
【００６１】
光学シート２０は、裏面２０ｂに、単位形状２９が複数配列されている。
単位形状２９は、凹形状であり、長手方向を第２軸方向ｄ２とし、第１軸方向ｄ１に複数配列されている。
本実施形態の単位形状２９は、図１１に示すように、配列方向及び光学シート２０の厚み方向に沿った断面での断面形状が半円状であるが、これに限らず、例えば、円や楕円や長円形の一部形状等としてもよい。また、単位形状２９は、曲面から形成される他の凹形状としてもよいし、一部が平面により形成されていてもよい。
表示面１２は、単位形状２９の凹形状の底となる底部３０とその近傍からなる領域に形成されている。第１軸方向ｄ１において、表示面１２の幅Ｗ１は、単位形状２８の幅Ｗ０よりも小さい。
また、底部３０を通り、光学シート２０のシート面の法線方向に沿った直線を基準として、単位形状２８及び表示面１２は、第１軸方向ｄ１において対称な形状である。
【００６２】
表示面１２に対する接線（単位形状２９に対する接線）がシート面となす角度δは、表示面１２の第１軸方向ｄ１の図面内上側端部１２ａから底部３０に向かうにつれて小さくなり、底部３０でδ＝０°となり、図面内下側端部１２ｂに向かうにつれて大きくなる。そして、表示面１２に対する接線は、その傾きの方向が、底部３０で反対方向に変わる。したがって、底部３０は、表示面１２の接線の変節点となる。
【００６３】
このような形態とした場合にも、第１実施形態と同様に、太陽光等の上方からの光Ｌ１や、照り返し等の下方からの光Ｌ２は、表示面１２に遮蔽されることなく光学シート２０や光源シート７１を透過して太陽電池パネル５０の受光面５０ａに到達でき、太陽電池パネル５０により十分に発電を行うことができる。
また、正面方向（光学シート２０のシート面の法線方向）からこの太陽電池複合型表示体１０を観察する観察者Ｐは、複数の表示面１２によって色によって表示される第１表示対象１３を良好に視認することができる。
また、夕方や夜間等においては、太陽電池パネル５０で発電された電力を用いて、複数の光源７５を動作させ、光による第２表示対象を高い輝度で表示でき、視認性を高めることができる。
【００６４】
また、表示面１２が複数配列されているので、第１表示対象１３を視認する方向からは太陽電池パネル５０の受光面５０ａが視認されにくく、太陽電池複合型表示体１０の意匠性を向上させることができる。
また、第１表示対象１３及び第２表示対象１４として、上下を反転させても使用可能な矢印等を表示することにより、必要に応じて上下を反転させて使用することができ、汎用性、利便性を向上させることができる。
【００６５】
図１２は、第８実施形態の太陽電池複合型表示体１０を説明する図である。
図１２では、図３に示した第１実施形態の太陽電池複合型表示体１０の断面に相当する第８実施形態の太陽電池複合型表示体１０の断面を示している。
第８実施形態の太陽電池複合型表示体１０は、光学シート２０の表面２０ａに凹形状の単位形状２９が複数形成されて配列されており、単位形状２９の配列方向（第１軸方向ｄ１）及び光学シート２０の厚み方向（第３軸方向ｄ３）に沿った断面での断面形状が、円の一部形状である点以外は、前述の第１実施形態と同様の形態である。したがって、前述した第１実施形態と同様の機能を果たす部分には、同一の符号又は末尾に同一の符号を付して、重複する説明を適宜省略する。
第８実施形態の太陽電池複合型表示体１０は、光学シート２０、照明装置７０、太陽電池パネル５０等を備えている。
【００６６】
光学シート２０は、表面２０ａに単位形状２９が複数配列されている。
単位形状２９は、凹形状であり、長手方向を第２軸方向ｄ２とし、第１軸方向ｄ１に複数配列されている。
本実施形態の単位形状２９は、配列方向及び光学シート２０の厚み方向に沿った断面での断面形状が半円状であるが、これに限らず、例えば、円や楕円や長円形の一部形状等としてもよい。また、単位形状２９は、曲面から形成される他の凹形状としてもよいし、一部が平面により形成されていてもよい。
表示面１２は、単位形状２９の凹形状の底となる底部３０とその近傍からなる領域に形成されている。第１軸方向ｄ１において、表示面１２の幅Ｗ１は、単位形状２８の幅Ｗ０よりも小さい。
また、底部３０を通り、光学シート２０のシート面の法線方向に沿って直線を基準として、単位形状２８及び表示面１２は、第１軸方向ｄ１において対称な形状である。
【００６７】
表示面１２に対する接線（単位形状２９に対する接線）がシート面となす角度δは、表示面１２の第１軸方向ｄ１の図面内上側端部１２ａから底部３０に向かうにつれて小さくなり、底部３０でδ＝０°となり、図面内下側端部１２ｂに向かうにつれて大きくなる。そして、表示面１２に対する接線は、その傾きの方向が、底部３０で反対方向に変わる。したがって、底部３０は、表示面１２の接線の変節点となる。
【００６８】
このような形態とした場合にも、第１実施形態と同様に、太陽光等の上方からの光Ｌ１や、照り返し等の下方からの光Ｌ２は、表示面１２に遮蔽されることなく光学シート２０や光源シート７１を透過して太陽電池パネル５０の受光面５０ａに到達でき、太陽電池パネル５０により十分に発電を行うことができる。
また、正面方向（光学シート２０のシート面の法線方向）からこの太陽電池複合型表示体１０を観察する観察者Ｐは、複数の表示面１２によって色によって表示される第１表示対象１３を良好に視認することができる。
また、夕方や夜間等においては、太陽電池パネル５０で発電された電力を用いて、複数の光源７５を動作させ、光による第２表示対象を高い輝度で表示でき、視認性を高めることができる。
【００６９】
また、表示面１２が複数配列されているので、第１表示対象１３を視認する方向からは太陽電池パネル５０の受光面５０ａが視認されにくく、太陽電池複合型表示体１０の意匠性を向上させることができる。
また、第１表示対象１３及び第２表示対象１４として、上下を反転させても使用可能な矢印等を表示することにより、必要に応じて上下を反転させて使用することができ、汎用性、利便性を向上させることができる。
【００７０】
図１３は、第９実施形態の太陽電池複合型表示体１０を説明する図である。
図１３では、図３に示した第１実施形態の太陽電池複合型表示体１０の断面に相当する第９実施形態の太陽電池複合型表示体１０の断面を示している。
第９実施形態の太陽電池複合型表示体１０は、光学シート２０の本体部２０ｃに、シート面に沿った面に対して少なくとも一部が傾斜した表示面１２が形成されている点以外は、前述の第１実施形態と同様の形態である。したがって、前述した第１実施形態と同様の機能を果たす部分には、同一の符号又は末尾に同一の符号を付して、重複する説明を適宜省略する。
第９実施形態の太陽電池複合型表示体１０は、光学シート２０、照明装置７０、太陽電池パネル５０等を備えている。
【００７１】
光学シート２０は、表面２０ａ及び裏面２０ｂが略平坦状であり、シート面に沿った面となっている。
表示面１２は、光学シート２０の本体部２０ｃに、長手方向を第２軸方向ｄ２とし、第１軸方向ｄ１に複数配列されている。この表示面１２は、シート面に沿った面に対して角度ηをなして傾斜した傾斜部１２１と、傾斜部１２１に連続し、シート面に沿った平行部１２２とを有している。
また、第１軸方向ｄ１において、表示面１２の配列ピッチＷ４は、表示面１２の幅Ｗ１よりも大きい。
【００７２】
このような形態とした場合にも、第１実施形態と同様に、太陽光等の上方からの光Ｌ１や、照り返し等の下方からの光Ｌ２は、表示面１２に遮蔽されることなく光学シート２０や光源シート７１を透過して太陽電池パネル５０の受光面５０ａに到達でき、太陽電池パネル５０により十分に発電を行うことができる。
また、表示面１２が複数配列されているので、第１表示対象１３を視認する方向からは太陽電池パネル５０の受光面５０ａが視認されにくく、太陽電池複合型表示体１０の意匠性を向上させることができる。
【００７３】
また、正面方向（光学シート２０のシート面の法線方向、第３軸方向ｄ３）からこの太陽電池複合型表示体１０を観察する観察者Ｐは、複数の表示面１２によって色によって表示される第１表示対象１３を良好に視認することができる。
さらに、夕方や夜間等においては、太陽電池パネル５０で発電された電力を用いて、複数の光源７５を動作させ、光による第２表示対象を高い輝度で表示でき、視認性を高めることができる。
また、傾斜部１２１を有しているので、太陽電池複合型表示体１０の上下方向を図１３に示す状態とした場合に、観察者Ｐが太陽電池複合型表示体１０をやや見上げるような位置から観察した場合にも、表示面１２による第１表示対象１３を良好に視認することができる。
【００７４】
（変形形態）
以上説明した各実施形態に限定されることなく、種々の変形や変更が可能であって、それらも本発明の範囲内である。
（１）各実施形態において、単位形状２１，２８，２９及び表示面１２は、第２軸方向ｄ２を長手方向とし、第１軸方向ｄ１に配列される形態を示したが、これに限らず、例えば、単位形状２１，２８，２９及び表示面１２は、例えば、第１軸方向ｄ１及び第２軸方向ｄ２に配列される形態としてもよい。
この場合、例えば、第１実施形態の単位形状２１は、太陽電池パネル５０側に凸となる四角錐形状となり、その１つの面の一部に表示面１２が形成される形態となる。
また、この形態の場合、光源７５が配置される境界領域は、色が異なり隣接する表示面１２Ａ−１，表示面１２Ｂ−１を含み、第１軸方向ｄ１及び第２軸方向ｄ２の両隣の５列５行以内の表示面１２で形成されるものとする。
また、この形態の場合には、四角錐形状の単位形状２１の異なる２面に、それぞれ異なる表示対象を表示することにより、太陽電池複合型表示体１０を観察する方向に応じて異なる複数の表示対象を表示することができる。したがって、太陽電池複合型表示体１０の利便性や意匠性等をさらに向上させることができる。
【００７５】
（２）第１〜第４実施形態において、単位形状２１の配列方向及び光学シート２０の厚み方向に沿った断面での断面形状は、二等辺三角形形状であるとしたが、これに限らず、例えば、頂部２４や底部２５が面取りされた形状となっていてもよいし、五角形形状等の多角形形状としてもよい。
【００７６】
（３）第１，第４，第５，第６実施形態の単位形状２１，２８間の溝部分や、第７，第８実施形態の単位形状２９の凹みに、単位形状２１，２８，２９よりも屈折率が低く透光性を有する樹脂を充填し、光学シート２０の単位形状２１，２８，２９が形成された面を平面状としてもよい。
このような形態とすることにより、表示面１２や単位形状２１，２８，２９を保護でき、また、光学シート２０のハンドリングも容易となる。
【００７７】
（４）図１５は、表示面１２の変形形態を示す図である。図１５では、一例として、第１軸方向ｄ１及び第３軸方向ｄ３に沿った断面での第１実施形態の光学シート２０の単位形状２１と光源７５の断面形状を示している。
図１５に示すように、表示面１２の配列方向における光源７５の幅が、表示面１２の幅よりも小さい場合には、光源７５に対面する領域外の部分にのみ、表示面１２が形成されている形態としてもよい。
このような形態とすることにより、第３軸方向ｄ３から太陽電池複合型表示体１０を見た場合に、光学シート２０のシート面に対して表示面１２が占める割合が増え、第１表示対象１３の視認性が向上するという効果が得られる。
なお、第２〜第９実施形態についても同様である。
【００７８】
（５）第１〜第８実施形態において、単位形状２１，２８，２９は連続して配列される形態を示したが、これに限らず、例えば、単位形状２１，２８，２９間に平面部が存在している形態としてもよい。
このような形態とすることにより、太陽電池パネル５０へ入射する太陽光等の光量を増大させることができる。
【００７９】
（６）各実施形態において、光源７５は、光学シート２０と太陽電池パネル５０との間に配置される例を示したが、これに限らず、その位置を適宜選択して配置してよい。
図１６は、光源７５の配置される位置の変形形態を示す図である。理解を容易にするために、図１６では、光学シート２０の厚み方向（第３軸方向ｄ３）に平行な断面の一部と光源７５を示し、光学シート２０の単位形状２１や表示面１２に関しては、省略して示しているが、図１６に示す光源７５の配置される位置に関しては、上述の各実施形態において適宜適用可能である。
例えば、図１６（ａ）に示すように、光源７５は、光学シート２０の表面２０ａ側に配置される形態としてもよい。
また、図１６（ｂ），（ｃ）に示すように、光源７５は、光学シート２０に形成された貫通孔２６内や凹み２７内に配置され、光学シート２０の表面２０ａと裏面２０ｂとの間に位置する形態としてもよい。
【００８０】
なお、図１６（ｂ），（ｃ）では、光源７５が、貫通孔２６及び凹み２７内において、光学シート２０の裏面２０ｂ側に位置している例を示したが、これに限らず、例えば、表面２０ａ側に位置していてもよいし、光学シート２０の厚み方向（第３軸方向ｄ３）の中央に位置していてもよく、光学シート２０の厚み方向（第３軸方向ｄ３）における位置は適宜選択してよい。
また、図１６（ｃ）では、凹み２７は、光学シート２０の裏面２０ｂに形成される例を示したが、これに限らず、表面２０ａに形成され、その内部に光源７５が配置される形態としてもよい。
さらに、光源７５は、その一部が、貫通孔２６及び凹み２７の外部に位置する形態としてもよい。
【００８１】
（７）各実施形態において、第１軸方向ｄ１と第２軸方向ｄ２とは直交する形態を示したが、これに限らず、第１軸方向ｄ１と第２軸方向ｄ２とが交差するが直交しない形態としてもよい。
【００８２】
（８）各実施形態において、第１表示対象１３と第２表示対象１４とは、その表示内容が同じである例を示したが、これに限らず、第１表示対象１３と第２表示対象１４とは、その表示内容が一部は共通するが一部が異なるものとしてもよい。
【００８３】
（９）第４〜第９実施形態において、光学シート２０は、第２，第３実施形態で示した貫通孔２６や、凹み２７、貫通孔２６の表面２０ａ側端部又は裏面２０ｂ側端部に設けられる蓋３１や光学シート２０の表面２０ａ又は裏面２０ｂに積層される保護シート３２等を備える形態とし、視認性や耐久性等を向上させてもよい。
【００８４】
（１０）各実施形態において、第１表示対象１３は静止画である例を示したが、これに限らず、例えば、動画としてもよい。この場合、表示面１２は、液晶パネル等を用いることが好適である。
【００８５】
（１１）第１〜第４実施形態において、表示面１２は、単位形状２１の頂部２４を含む頂部２４近傍に形成される例を示したが、これに限らず、例えば、底部２５を含む底部２５近傍に形成される形態としてもよい。
【００８６】
なお、上述の各実施形態及び変形形態は、適宜組み合わせて用いることもできるが、詳細な説明は省略する。また、本発明は以上説明した各実施形態等によって限定されることはない。
【符号の説明】
【００８７】
１０    太陽電池複合型表示体
１２    表示面
１３    第１表示対象
１４    第２表示対象
２０    光学シート
２０ａ    表面
２０ｂ    裏面
２０ｃ    本体部
２１，２８，２９    単位形状
２４    頂部
３０    底部
３１    蓋
３２    保護シート
５０    太陽電池
５０ａ    受光面
７０    照明装置
７１    光源シート
７２    支持板
７３    配線
７５    光源
【図１】
0006627456.tif 000002
【図２】
0006627456.tif 000003
【図３】
0006627456.tif 000004
【図４】
0006627456.tif 000005
【図５】
0006627456.tif 000006
【図６】
0006627456.tif 000007
【図７】
0006627456.tif 000008
【図８】
0006627456.tif 000009
【図９】
0006627456.tif 000010
【図１０】
0006627456.tif 000011
【図１１】
0006627456.tif 000012
【図１２】
0006627456.tif 000013
【図１３】
0006627456.tif 000014
【図１４】
0006627456.tif 000015
【図１５】
0006627456.tif 000016
【図１６】
0006627456.tif 000017